(57)【要約】【課題】本発明は、無手順でデータを送受信する電子装置が遠隔地に設置される場合にも、無手順でデータを送受信できるようにする新たな技術の提供を目的とする。【解決手段】無手順でデータを送受信する関係にある電子装置のＩＤの対応関係を登録しておくデータ中継装置を備える構成を採って、そのデータ中継装置があらかじめ受信側の電子装置から受け取った装置ＩＤを指定する受信コマンドに従って、その受信側の電子装置との間に受信セッションを確立しておいて、送信側の電子装置から装置ＩＤの付与された送信データが送られてくると、送信セッションを確立してその送信データを受信して、その装置ＩＤに対応付けられる受信セッションの情報に従って、受信側の電子装置に対して、その受信した送信データを送信する。これにより、無手順でデータを送受信する電子装置が遠隔地に設置される場合にも、無手順でデータを送受信できるようになる。【選択図】図１
2005286958.tif 000002
【特許請求の範囲】
【請求項１】
送信側の電子装置の装置ＩＤと受信側の電子装置の装置ＩＤとの対応関係を記憶する記憶手段を備えるデータ中継装置と、ネットワークを介して該データ中継装置に接続されて無手順でデータを送受信する電子装置とを備えるシステムで実行されるデータ転送方法であって、
受信側の電子装置が、自装置ＩＤを受信側装置ＩＤとして指定して、上記データ中継装置に対して受信コマンドを送信することで、上記データ中継装置との間に受信セッションを確立して、その受信セッションの情報を該受信側装置ＩＤに対応付ける形で上記記憶手段に登録する過程と、
送信側の電子装置が、自装置ＩＤを送信側装置ＩＤとして指定して、上記データ中継装置に対して送信データの送信コマンドを送信することで、上記データ中継装置との間に送信セッションを確立して、該送信データを上記データ中継装置に送信する過程と、
上記データ中継装置が、上記送信コマンドを受信するときに、上記記憶手段を参照することで、上記送信コマンドで指定される送信側装置ＩＤに対応付けられる上記受信セッション情報を取得して、それを使って、上記送信データを受信側の電子装置に送信する過程とを備えることを、
特徴とするデータ転送方法。
【請求項２】
ネットワークに接続されて設けられて、遠隔地に設置される無手順でデータを送受信する電子装置が無手順でデータを送受信できるようにするデータ中継装置であって、
送信側の電子装置の装置ＩＤと受信側の電子装置の装置ＩＤとの対応関係を記憶する記憶手段と、
ネットワークを介して電子装置から、受信側装置ＩＤを指定した受信コマンドが送られてくる場合に、該電子装置との間に受信セッションを確立して、上記記憶手段に対して、該受信側装置ＩＤに対応付ける形で該受信セッションの情報を登録する実行手段と、
ネットワークを介して電子装置から、送信側装置ＩＤの付与された送信データの送信コマンドが送られてくる場合に、該電子装置との間に送信セッションを確立して、該送信データを受信する受信手段と、
上記記憶手段を参照することで、上記受信手段の受信した送信側装置ＩＤに対応付けられる上記受信セッション情報を取得する取得手段と、
上記取得手段の取得した受信セッション情報を使って、上記受信手段の受信した送信データを受信側の電子装置に送信する送信手段とを備えることを、
特徴とするデータ中継装置。
【請求項３】
請求項２に記載のデータ中継装置において、
ユーザにより設定される送信側の電子装置の装置ＩＤと受信側の電子装置の装置ＩＤとの対応関係の情報を入手して、上記記憶手段に登録する登録手段を備えることを、
特徴とするデータ中継装置。
【請求項４】
無手順でデータを送受信する電子装置に対応付けて設けられて、送信側の電子装置の装置ＩＤと受信側の電子装置の装置ＩＤとの対応関係を記憶する記憶手段を備えるデータ中継装置にネットワークを介して接続される通信インタフェース装置であって、
自装置に対応付けられる電子装置のＩＤを受信側装置ＩＤとして指定して、上記データ中継装置に対して受信コマンドを送信することで、上記データ中継装置との間に受信セッションを確立して、その受信セッションの情報を該受信側装置ＩＤに対応付ける形で上記記憶手段に登録する実行手段と、
自装置に対応付けられる電子装置のＩＤを送信側装置ＩＤとして指定して、上記データ中継装置に対して送信データの送信コマンドを送信することで、上記データ中継装置との間に送信セッションを確立して、該送信データを上記データ中継装置に送信する送信手段と、
上記データ中継装置から上記受信セッションの情報を使って送られてくる、他の通信インタフェース装置が送信した送信データを受信する受信手段とを備えることを、
特徴とする通信インタフェース装置。
【発明の詳細な説明】
【技術分野】
【０００１】
本発明は、遠隔地に設置される無手順でデータを送受信する電子装置が無手順でデータを送受信できるようにするデータ転送方法と、そのデータ転送方法の実現に用いられるデータ中継装置および通信インタフェース装置とに関する。
【背景技術】
【０００２】
電子装置と電子装置との間を、ＲＳ−２３２Ｃなどのような無手順なインタフェース規格で接続することが広く用いられている。
【０００３】
ＲＳ−２３２Ｃなどのような無手順なインタフェース規格で接続される電子装置は、本来すぐ近くに設置されるものであり、遠隔地に設置されるようなものではない。
【０００４】
しかしながら、ネットワークの発達に伴って、このような無手順なインタフェース規格で接続される電子装置を遠隔地に設置して、無手順なインタフェース規格を用いたまま、ネットワークで接続させるようにしたいという要望もでてきている。
【０００５】
これまでのところ、このような要望に応える技術は提供されていないというのが実情である。したがって、現実には、ＲＳ−２３２Ｃなどのような無手順なインタフェース規格を使わないようにして、ネットワークで接続させるようにするしかない。
【発明の開示】
【発明が解決しようとする課題】
【０００６】
このような要望を実現する１つの方法として、ピアツーピアの通信を使って、無手順なインタフェース規格で接続される電子装置をネットワークで接続するという方法を用いることが考えられる。
【０００７】
しかしながら、この方法を用いるには、接続される電子装置同士が相手方のグローバルＩＰアドレスを知っている必要がある。
【０００８】
もちろん、プロバイダからグローバルＩＰアドレスを得ることは可能である。しかしながら、グローバルＩＰアドレスを得たとしても、ユーザは、何らかの方法を使って、そのグローバルＩＰアドレスを相手側の電子装置に登録しなければならないことになる。しかも、プロバイダが変更されてしまうと、グローバルＩＰアドレスが変更されることになるという問題もある。
【０００９】
これらのことから、実際には、ピアツーピアの通信を使って、無手順なインタフェース規格で接続される電子装置をネットワークで接続するという方法を用いることはできない。
【００１０】
本発明はかかる事情に鑑みてなされたものであって、無手順でデータを送受信する電子装置が遠隔地に設置される場合にも、無手順でデータを送受信できるようにする新たな技術の提供を目的とする。
【課題を解決するための手段】
【００１１】
この目的を達成するために、本発明では、遠隔地に設置される無手順でデータを送受信する電子装置がネットワークを介して接続されるときにあって、そのネットワークに接続されて設けられるデータ中継装置と、その電子装置に対応付けて設けられる通信インタフェース装置とを備える構成を採る。
【００１２】
（１）本発明のデータ中継装置の構成
本発明のデータ中継装置は、（イ）送信側の電子装置の装置ＩＤと受信側の電子装置の装置ＩＤとの対応関係を記憶する記憶手段と、（ロ）電子装置から受信側装置ＩＤを指定した受信コマンドが送られてくる場合に、その電子装置との間に受信セッションを確立して、記憶手段に対して、その受信側装置ＩＤに対応付ける形でその受信セッションの情報を登録する実行手段と、（ハ）電子装置から送信側装置ＩＤの付与された送信データの送信コマンドが送られてくる場合に、その電子装置との間に送信セッションを確立して、その送信データを受信する受信手段と、（ニ）記憶手段を参照することで、受信手段の受信した送信側装置ＩＤに対応付けられる受信セッション情報を取得する取得手段と、（ホ）取得手段の取得した受信セッション情報を使って、受信手段の受信した送信データを受信側の電子装置に送信する送信手段と、（ヘ）ユーザにより設定される送信側の電子装置の装置ＩＤと受信側の電子装置の装置ＩＤとの対応関係の情報を入手して、記憶手段に登録する登録手段とを備えるように構成する。
【００１３】
以上に説明した実行手段／受信手段／取得手段／送信手段／登録手段はコンピュータプログラムで実現できるものであり、このコンピュータプログラムは、半導体メモリなどのような適当な記録媒体に記録して提供されたり、ネットワークを介して提供され、本発明を実施する際にインストールされてＣＰＵなどの制御手段上で動作することにより本発明を実現することになる。
【００１４】
（２）本発明の通信インタフェース装置の構成
本発明の通信インタフェース装置は、（イ）自装置に対応付けられる電子装置のＩＤを受信側装置ＩＤとして指定して、データ中継装置に対して受信コマンドを送信することで、データ中継装置との間に受信セッションを確立して、その受信セッションの情報をその受信側装置ＩＤに対応付ける形でデータ中継装置の記憶手段に登録する実行手段と、（ロ）自装置に対応付けられる電子装置のＩＤを送信側装置ＩＤとして指定して、データ中継装置に対して送信データの送信コマンドを送信することで、データ中継装置との間に送信セッションを確立して、その送信データをデータ中継装置に送信する送信手段と、（ハ）データ中継装置から受信セッションの情報を使って送られてくる、他の通信インタフェース装置が送信した送信データを受信する受信手段とを備えるように構成する。
【００１５】
以上に説明した実行手段／送信手段／受信手段はコンピュータプログラムで実現できるものであり、このコンピュータプログラムは、半導体メモリなどのような適当な記録媒体に記録して提供されたり、ネットワークを介して提供され、本発明を実施する際にインストールされてＣＰＵなどの制御手段上で動作することにより本発明を実現することになる。
【００１６】
（３）本発明の動作
このように構成される本発明では、データ中継装置は、ユーザと対話することで、あらかじめ記憶手段に、送信側の電子装置の装置ＩＤと受信側の電子装置の装置ＩＤとの対応関係を記憶しておく。
【００１７】
一方、受信側の電子装置に対応付けて設けられる通信インタフェース装置は、自装置に対応付けられる電子装置のＩＤを受信側装置ＩＤとして指定して、データ中継装置に対して受信コマンドを送信し、これを受けて、データ中継装置は、その受信コマンドが送られてくると、その通信インタフェース装置との間に受信セッションを確立して、記憶手段に対して、その受信側装置ＩＤに対応付ける形でその受信セッションの情報（データを送るときに必要となるＩＰアドレスなどの情報）を登録する。
【００１８】
一方、送信側の電子装置に対応付けて設けられる通信インタフェース装置は、電子装置が無手順で送信データを送信してくると、自装置に対応付けられる電子装置のＩＤを送信側装置ＩＤとして指定して、データ中継装置に対して送信データの送信コマンドを送信し、これを受けて、データ中継装置は、その送信側装置ＩＤの付与された送信コマンドが送られてくると、その通信インタフェース装置との間に送信セッションを確立して、その送信データを受信する。
【００１９】
続いて、データ中継装置は、記憶手段を参照することで、受信した送信側装置ＩＤに対応付けられる受信セッション情報を取得して、それを使って、受信した送信データを受信側の電子装置に対応付けて設けられる通信インタフェース装置に送信し、これを受けて、その通信インタフェース装置は、データ中継装置から受信セッションの情報を使って送られてくる、他の通信インタフェース装置が送信した送信データを受信して、受信側の電子装置に渡す。
【発明の効果】
【００２０】
このようにして、本発明では、無手順でデータを送受信する関係にある電子装置のＩＤの対応関係を登録しておくデータ中継装置を備える構成を採って、そのデータ中継装置があらかじめ受信側の電子装置から受け取った装置ＩＤを指定する受信コマンドに従って、その受信側の電子装置との間に受信セッションを確立しておいて、送信側の電子装置から装置ＩＤの付与された送信データが送られてくると、送信セッションを確立してその送信データを受信して、その装置ＩＤに対応付けられる受信セッションの情報に従って、受信側の電子装置に対して、その受信した送信データを送信するように構成する。
【００２１】
これから、本発明によれば、無手順でデータを送信する電子装置は、受信側の電子装置のグローバルＩＰアドレスを知らなくても、自装置ＩＤを指定して送信データをデータ中継装置に送信しさえすれば、後は、データ中継装置がその送信データを受信側の電子装置に送信してくれるようになるので、無手順でデータを送受信する電子装置が遠隔地に設置される場合にも、無手順でデータを送受信できるようになる。
【発明を実施するための最良の形態】
【００２２】
以下、実施の形態に従って本発明を詳細に説明する。
【００２３】
図１に、本発明を具備するシステムの構成を図示する。
【００２４】
本発明では、ＲＳ−２３２Ｃなどのような無手順でデータを送受信する電子装置が遠隔地に設置される場合にも、無手順でデータを送受信できるようにすることを実現するものであり、これを実現するために、図１に示すように、ＲＳ−２３２Ｃなどのような無手順でデータを送受信する電子装置１-i（ｉ＝１〜ｎ）に対応付けて、インターネット４との通信を司る通信インタフェース装置２-i（ｉ＝１〜ｎ）を備えるとともに、インターネット４に接続させて、電子装置１-i間のデータの送受信を実現するためのＷebサーバ３を備える構成を採る。
【００２５】
このＷebサーバ３は、送信側となる電子装置１-iの電子装置ＩＤ情報と受信側となる電子装置１-iの電子装置ＩＤ情報との対応関係を管理するＦＲＯＭ−ＴＯテーブル３０を備えるものであるが、このＦＲＯＭ−ＴＯテーブル３０に登録される対応関係データについては、Ｗebサーバ３の備える入力端末５（インターネット４を介して接続されることもある）から予め登録されることになる。
【００２６】
図２に、通信インタフェース装置２-iの装置構成の一実施形態例を図示し、図３に、Ｗebサーバ３の装置構成の一実施形態例を図示する。
【００２７】
通信インタフェース装置２-iは、図２に示すように、対となる電子装置１-iの電子装置ＩＤ情報を記憶するＩＤ情報記憶部２０と、対となる電子装置１-iから送信されてくるデータを一時的に格納する送信バッファ２１と、対となる電子装置１-iから送信されてくるデータにＩＤ情報記憶部２０の記憶する電子装置ＩＤ情報を付加して送信コマンドメッセージを作成する送信用ＨＴＴＰメッセージ部２２と、送信用ＨＴＴＰメッセージ部２２の作成した送信コマンドメッセージをＷebサーバ３に送信する送信用セッション部２３と、Ｗebサーバ３に受信セッション確立のための受信コマンドメッセージを送信するとともに、Ｗebサーバ３から送られてくる送信コマンドメッセージを受信する受信用セッション部２４と、受信用セッション部２４の受信した送信コマンドメッセージから対となる電子装置１-iに送るデータを抽出する受信用ＨＴＴＰメッセージ部２５と、受信用ＨＴＴＰメッセージ部２５の抽出したデータを一時的に格納して対となる電子装置１-iに受け渡す受信バッファ２６とを備える。
【００２８】
一方、Ｗebサーバ３は、図３に示すように、送信側となる電子装置１-iの電子装置ＩＤ情報と受信側となる電子装置１-iの電子装置ＩＤ情報との対応関係を管理するＦＲＯＭ−ＴＯテーブル３０と、インターネットとの通信プロトコルを制御するＨＴＴＰプロトコル制御部３１と、通信インタフェース装置２-iから送信されてくるメッセージが受信コマンドメッセージであるのか送信コマンドメッセージであるのかを判別するコマンド判別部３２と、通信インタフェース装置２-iから送信されてくる受信コマンドメッセージについての処理を実行する受信コマンド処理部３３と、通信インタフェース装置２-iから送信されてくる送信コマンドメッセージについての処理を実行する送信コマンド処理部３４とを備える。
【００２９】
ここで、ＦＲＯＭ−ＴＯテーブル３０は、図３に示すように、送信側となる電子装置１-iの電子装置ＩＤ情報と受信側となる電子装置１-iの電子装置ＩＤ情報との対応関係データに加えて、受信側セッション情報についても管理することになるが、この受信側セッション情報については、入力端末５から登録されるのではなくて受信コマンド処理部３３から登録されることになる。
【００３０】
図４に、入力端末５の実行する処理フローの一例を図示し、図５および図６に、通信インタフェース装置２-iの実行する処理フローの一例を図示し、図７に、Ｗebサーバ３の実行する処理フローの一例を図示する。
【００３１】
次に、これらの処理フローに従って、このように構成される本発明の処理について詳細に説明する。
【００３２】
入力端末５は、ユーザからＦＲＯＭ−ＴＯテーブル３０への対応関係データの登録要求があると、図４の処理フローに示すように、先ず最初に、ステップ１０で、ユーザから、送信側となる電子装置１-iの電子装置ＩＤ情報と受信側となる電子装置１-iの電子装置ＩＤ情報とを入力し、続いて、ステップ１０で、その入力した電子装置ＩＤ情報の対データをＦＲＯＭ−ＴＯテーブル３０に登録して、処理を終了する。
【００３３】
このようにして、Ｗebサーバ３の備えるＦＲＯＭ−ＴＯテーブル３０に、送信側となる電子装置１-iの電子装置ＩＤ情報と受信側となる電子装置１-iの電子装置ＩＤ情報との対応関係が登録されることになる。
【００３４】
一方、通信インタフェース装置２-iは、例えば受信コマンドの送出周期になると、図５の処理フローに示すように、先ず最初に、ステップ２０で、ＩＤ情報記憶部２０の記憶する電子装置ＩＤ情報を読み出して、その読み出した電子装置ＩＤ情報を付与した受信コマンドメッセージを作成し、続いて、ステップ２１で、その作成した受信コマンドメッセージをＷebサーバ３に送信して、処理を終了する。
【００３５】
このようにして、電子装置ＩＤ情報“ＸＹＺ”を持つ電子装置１-iに対応付けて備えられる通信インタフェース装置２-iは、例えば受信コマンドの送出周期になると、図８に示すように、電子装置ＩＤ情報“ＸＹＺ”を付与した受信コマンドメッセージを作成して、それをＷebサーバ３に送信するように処理するのである。
【００３６】
一方、通信インタフェース装置２-iは、対となる電子装置１-iからデータの送信要求があると、図６の処理フローに示すように、先ず最初に、ステップ３０で、ＩＤ情報記憶部２０の記憶する電子装置ＩＤ情報を読み出して、送信要求のデータにその読み出した電子装置ＩＤ情報を付与することで送信コマンドメッセージを作成し、続いて、ステップ３１で、その作成した送信コマンドメッセージをＷebサーバ３に送信して、処理を終了する。
【００３７】
このようにして、電子装置ＩＤ情報“ＡＢＣ”を持つ電子装置１-iに対応付けて備えられる通信インタフェース装置２-iは、その電子装置１-iからデータの送信要求があると、図９に示すように、その送信要求のデータに電子装置ＩＤ情報“ＡＢＣ”を付与することで送信コマンドメッセージを作成して、それをＷebサーバ３に送信するように処理するのである。
【００３８】
次に、図７の処理フローに従って、Ｗebサーバ３の実行する処理について説明する。
【００３９】
Ｗebサーバ３は、通信インタフェース装置２-iからメッセージが送信されてくると、図７の処理フローに示すように、先ず最初に、ステップ４０で、送信されてきたメッセージを受信し、続くステップ４１で、そのメッセージが受信コマンドメッセージであるのか送信コマンドメッセージであるのかを判断する。
【００４０】
この判断処理により、通信インタフェース装置２-iから送られてきたメッセージが受信コマンドメッセージであることを判断すると、ステップ４２に進んで、その受信コマンドメッセージの送出元の通信インタフェース２-iとの間に受信セッションを確立する。
【００４１】
続いて、ステップ４３で、その受信コマンドメッセージの指定する電子装置ＩＤ情報が受信側電子装置ＩＤ情報として登録されているＦＲＯＭ−ＴＯテーブル３０のエントリーに、確立した受信セッションの情報（データを送るときに必要となるＩＰアドレスなどの情報）を登録して、処理を終了する。
【００４２】
例えば、Ｗebサーバ３は、通信インタフェース装置２-iから、電子装置ＩＤ情報“ＸＹＺ”の付与された受信コマンドメッセージを受信すると、その受信コマンドメッセージの送出元の通信インタフェース２-iとの間に受信セッションを確立して、図１０に示すように、電子装置ＩＤ情報“ＸＹＺ”が受信側電子装置ＩＤ情報として登録されているＦＲＯＭ−ＴＯテーブル３０のエントリーに、確立した受信セッションの情報を登録するように処理するのである。
【００４３】
一方、ステップ４１の判断処理により、通信インタフェース装置２-iから送られてきたメッセージが受信コマンドメッセージでないことを判断するとき、すなわち、通信インタフェース装置２-iから送られてきたメッセージが送信コマンドメッセージであることを判断するときには、ステップ４４に進んで、その送信コマンドメッセージの送出元の通信インタフェース２-iとの間に送信セッションを確立して、送信データを受信する。
【００４４】
続いて、ステップ４５で、その受信した送信データに付与された電子装置ＩＤ情報が送信側電子装置ＩＤ情報として登録されているＦＲＯＭ−ＴＯテーブル３０のエントリーから、受信側電子装置ＩＤ情報／受信セッション情報を取得する。
【００４５】
例えば、Ｗebサーバ３は、電子装置ＩＤ情報“ＡＢＣ”の付与された送信コマンドメッセージを受信すると、その送信コマンドメッセージの送出元の通信インタフェース２-iとの間に送信セッションを確立して送信データを受信して、図１１に示すように、電子装置ＩＤ情報“ＡＢＣ”が送信側電子装置ＩＤ情報として登録されているＦＲＯＭ−ＴＯテーブル３０のエントリーから、“ＸＹＺ”という受信側電子装置ＩＤ情報と、その受信側電子装置ＩＤ情報“ＸＹＺ”を持つ通信インタフェース２-iとの間の受信セッションの情報とを取得するのである。
【００４６】
続いて、ステップ４６で、その取得した受信側電子装置ＩＤ情報をステップ４４で受信した送信データに付与することで、その取得した受信側電子装置ＩＤ情報の指す電子装置１-iに渡すレスポンスデータを作成する。
【００４７】
例えば、Ｗebサーバ３は、ステップ４５の処理に従って“ＸＹＺ”という受信側電子装置ＩＤ情報を取得するときには、図１２に示すように、その取得した受信側電子装置ＩＤ情報“ＸＹＺ”を送信データに付与することで、その取得した受信側電子装置ＩＤ情報“ＸＹＺ”の指す電子装置１-iに渡すレスポンスデータを作成するのである。
【００４８】
続いて、ステップ４７で、その取得した受信セッションの情報を使って、その受信セッションに、その作成したレスポンスデータを送信することで、ステップ４４で受信した送信データを受信側の電子装置１-iに対応付けて設けられる通信インタフェース装置２-iに送信することで、ステップ４４で受信した送信データを受信側の電子装置１-iに送信する。
【００４９】
これを受けて、受信側の電子装置１-iに対応付けて設けられる通信インタフェース装置２-iは、図１３に示すように、Ｗebサーバ３から送られてくるレスポンスデータを受信することで、送信側の電子装置１-iが送信したデータを受信して、それを受信側の電子装置１-iに受け渡すように処理する。
【００５０】
このようにして、本発明では、ＲＳ−２３２Ｃなどのような無手順でデータを送受信する関係にある電子装置１-iのＩＤの対応関係を登録しておくＷebサーバ３を備える構成を採って、そのＷebサーバ３があらかじめ受信側の電子装置１-iから受け取った装置ＩＤを指定する受信コマンドに従って、その受信側の電子装置１-iとの間に受信セッションを確立しておいて、送信側の電子装置１-iから装置ＩＤの付与された送信データが送られてくると、送信セッションを確立してその送信データを受信して、その装置ＩＤに対応付けられる受信セッションの情報に従って、受信側の電子装置１-iに対して、その受信した送信データを送信するように処理するのである。
【図面の簡単な説明】
【００５１】
【図１】本発明を具備するシステムの構成図である。
【図２】通信インタフェース装置構成の一実施形態例である。
【図３】Ｗebサーバの装置構成の一実施形態例である。
【図４】入力端末の実行する処理フローの一例である。
【図５】通信インタフェース装置の実行する処理フローの一例である。
【図６】通信インタフェース装置の実行する処理フローの一例である。
【図７】Ｗebサーバの実行する処理フローの一例を図示する。
【図８】通信インタフェース装置の実行する処理の説明図である。
【図９】通信インタフェース装置の実行する処理の説明図である。
【図１０】Ｗebサーバの実行する処理の説明図である。
【図１１】Ｗebサーバの実行する処理の説明図である。
【図１２】Ｗebサーバの実行する処理の説明図である。
【図１３】通信インタフェース装置の実行する処理の説明図である。
【符号の説明】
【００５２】
１    電子装置
２    通信インタフェース装置
３    Ｗebサーバ
４    インターネット
５    入力端末
２０  ＩＤ情報記憶部
２１  送信バッファ
２２  送信用ＨＴＴＰメッセージ部
２３  送信用セッション部
２４  受信用セッション部
２５  受信用ＨＴＴＰメッセージ部
２６  受信バッファ
３０  ＦＲＯＭ−ＴＯテーブル
３１  ＨＴＴＰプロトコル制御部
３２  コマンド判別部
３３  受信コマンド処理部
３４  送信コマンド処理部
【図１】
2005286958.tif 000003
【図２】
2005286958.tif 000004
【図３】
2005286958.tif 000005
【図４】
2005286958.tif 000006
【図５】
2005286958.tif 000007
【図６】
2005286958.tif 000008
【図７】
2005286958.tif 000009
【図８】
2005286958.tif 000010
【図９】
2005286958.tif 000011
【図１０】
2005286958.tif 000012
【図１１】
2005286958.tif 000013
【図１２】
2005286958.tif 000014
【図１３】
2005286958.tif 000015